(57)【特許請求の範囲】
【請求項１】
ユーザにより送信される所定のデータを要求する要求信号を受信する要求信号受信手段と、
複数のデータが蓄積されるデータ記憶手段と、
上記要求信号を送信した上記ユーザの個人情報を蓄積する個人情報記憶手段と、
上記所定のデータを検索するための検索情報が蓄積される検索情報記憶手段と、
上記要求信号に応じて上記データ記憶手段のデータを検索する検索手段とを有する情報センタと、
上記情報センタに蓄積される上記ユーザの個人情報及び上記検索情報を受信する情報受信手段と、
上記受信された上記ユーザの個人情報及び上記検索情報に応じて上記情報センタ側の上記検索手段に対してデータの検索を指示する検索指示手段とを有する端末装置とを備え、
上記情報センタのデータ記憶手段に記憶されている上記データに、上記要求信号を送信した上記ユーザの個人情報に基づいて分類された各項目の値が累積されるユーザ分類情報が付加され、
上記端末装置は、上記ユーザ分類情報における上記項目を指示するユーザ分類情報指示手段をさらに備え、
上記検索指示手段は、上記ユーザ分類情報指示手段による上記項目の指示に応じて、上記検索手段に対して指示し、
上記検索手段は、上記ユーザ分類情報指示手段が指示した複数の上記項目に応じて、上記データ記憶手段を検索して、所定のデータを選択し、上記検索手段は、上記データ記憶手段を検索して、上記ユーザ分類情報指示手段が指示した上記複数項目の各項目において累積値が大きい順序にデータを選択し、さらに各項目において当該選択したデータに付した重み付けの計数が大きくなるようにデータを選択することを特徴とする検索システム。
【請求項２】
上記情報センタのデータ記憶手段に記憶されている上記データに、上記検索情報からなるファイル分類情報が付加されていることを特徴とする請求項１記載の検索システム。
【請求項３】
上記検索手段は、上記ユーザ分類情報指示手段が指示した上記項目における累積値に基づいて、上記データ記憶手段を検索して、所定のデータを選択することを特徴とする請求項１記載の検索システム。
【請求項４】
上記検索手段は、上記データ記憶手段を検索して、上記ユーザ分類情報指示手段が指示した上記項目における累積値が大きい順序にデータを選択することを特徴とする請求項３記載の検索システム。
【請求項５】
上記データは、曲情報であることを特徴とする請求項１記載の検索システム。
【請求項６】
複数のデータが蓄積される情報センタに当該データと共に蓄積されているユーザの個人情報及び検索情報を受信する情報受信手段と、
上記受信された上記ユーザの個人情報及び上記検索情報に応じて上記情報センタ側の検索手段に所定のデータの検索を指示する検索指示手段とを備え、
上記情報センタは、ユーザにより送信される所定のデータを要求する要求信号を受信する要求信号受信手段と、複数のデータが蓄積されるデータ記憶手段とを有し、
上記情報センタのデータ記憶手段に記憶されている上記データに、上記要求信号を送信した上記ユーザの個人情報に基づいて分類された各項目の値が累積されるユーザ分類情報が付加され、
上記ユーザ分類情報における上記項目を指示するユーザ分類情報指示手段をさらに備え、
上記検索指示手段は、上記ユーザ分類情報指示手段による上記項目の指示に応じて、上記検索手段に対して指示し、
上記検索手段は、上記ユーザ分類情報指示手段が指示した上記項目における累積値に基づいて、上記データ記憶手段を検索して、所定のデータを選択し、
上記検索手段は、上記データ記憶手段を検索して、上記ユーザ分類情報指示手段が指示した上記項目における累積値が大きい順序にデータを選択することを特徴とする端末装置。
【請求項７】
上記情報センタは、上記要求信号を送信した上記ユーザの個人情報を蓄積する個人情報記憶手段と、上記所定のデータを検索するための検索情報が蓄積される検索情報記憶手段と、上記要求信号に応じて上記データ記憶手段のデータを検索する検索手段とを有することを特徴とする請求項６記載の端末装置。
【請求項８】
上記情報センタに記憶されている上記データに、上記検索情報からなるファイル分類情報が付加されていることを特徴とする請求項６記載の端末装置。
【請求項９】
上記検索手段は、上記ユーザ分類情報指示手段が指示した複数の上記項目に応じて、上記データ記憶手段を検索して、所定のデータを選択することを特徴とする請求項６記載の端末装置。
【請求項１０】
上記検索手段は、上記データ記憶手段を検索して、上記ユーザ分類情報指示手段が指示した上記複数項目の各項目において累積値が大きい順序にデータを選択し、さらに各項目において当該選択したデータに付した重み付けの計数が大きくなるようにデータを選択することを特徴とする請求項９記載の端末装置。
【請求項１１】
上記データは、曲情報であることを特徴とする請求項６記載の端末装置。
【請求項１２】
複数の端末装置に接続される情報処理装置であって、
ユーザ識別情報および上記ユーザ識別情報に対応する個人情報に基づいて分類されたユーザ分類の項目を記憶する登録データと、上記ユーザ分類の項目ごとの所定のデータ要求の累積値をデータごとに記憶するユーザ分類情報とを記憶する記憶手段と、
上記端末装置から上記ユーザ識別情報および上記データを含むダウンロード指示と、複数のユーザ分類の項目を含む検索指示とを受信する受信手段と、
上記ダウンロード指示および上記登録データに基づき上記データごとに上記ダウンロード指示に対応する上記ユーザ分類の項目の上記累積値を更新する更新手段と、
上記検索指示に応じて、上記ユーザ分類情報を参照し、上記検索指示に含まれる複数のユーザ分類の項目に対応する上記累積値に基づき上記所定のデータを抽出する検索手段と
を有することを特徴とする情報処理装置。
【請求項１３】
上記累積値は、上記ダウンロード指示の累積値であることを特徴とする請求項１２記載の情報処理装置。
【請求項１４】
上記検索手段は、上記累積値が大きい順に抽出することを特徴とする請求項１２記載の情報処理装置。
【請求項１５】
上記検索手段は、各ユーザ分類の項目において抽出された上記データが同一であった場合、上記累積値を合算することを特徴とする請求項１２記載の情報処理装置。
【請求項１６】
上記検索手段は、上記累積値に基づき上記データの重み付けを行い、抽出された上記データが同一であった場合上記重み付けを合算し、上記重み付けが大きい順に上記データを抽出することを特徴とする請求項１２記載の情報処理装置。
【請求項１７】
複数の端末装置と情報処理装置が接続される情報処理装置システムであって、
上記端末装置は、
上記情報処理装置にユーザ識別情報および所定のデータを含むダウンロード指示と、上記ユーザ識別情報に対応する個人情報に基づいて分類されたユーザ分類の項目を複数含む検索指示とを送信する送信手段と、
検索指示に応じて送信された上記データを受信する受信手段とを有し、
上記情報処理装置は、
上記ユーザ識別情報と上記ユーザ識別情報に対応する上記ユーザ分類の項目を記憶する登録データと、上記ユーザ分類の項目ごとの所定のデータ要求の累積値をデータごとに記憶するユーザ分類情報とを記憶する記憶手段と、
上記端末装置から上記ダウンロード指示と、上記検索指示とを受信する受信手段と、
上記ダウンロード指示および上記登録データに基づき上記データごとに上記ダウンロード指示に対応する上記ユーザ分類の項目の上記累積値を更新する更新手段と、
上記検索指示に応じて、上記ユーザ分類情報を参照し、上記検索指示に含まれる複数のユーザ分類の項目に対応する上記累積値に基づき上記所定のデータを抽出する検索手段と、
抽出した上記データを上記端末装置に送信する送信手段と
を有する情報処理システム。
【請求項１８】
他の端末装置に接続される情報処理装置に接続される端末装置であって、
上記情報処理装置にユーザ識別情報および所定のデータを含むダウンロード指示と、上記ユーザ識別情報に対応する個人情報に基づいて分類されたユーザ分類の項目を複数含む検索指示とを送信する送信手段と、
上記ダウンロード指示に応じて、上記情報処理装置に記憶されたユーザ識別情報および上記ユーザ識別情報に対応するユーザ分類の項目に基づき、上記情報処理端末にユーザ分類情報として記憶される、上記データごとの複数のユーザ分類の項目のデータ要求の累積値であって、上記検索指示に含まれる各ユーザ分類の項目に対応する上記累積値に応じて、上記情報処理装置によって抽出され送信された上記データを受信する受信手段と、
上記受信手段により受信した上記データを表示手段に表示させる制御手段と
を有する端末装置。
【請求項１９】
記憶手段がユーザ識別情報および上記ユーザ識別情報に対応する個人情報に基づいて分類されたユーザ分類の項目を記憶する登録データと、ユーザ分類の項目ごとのデータ要求の累積値をデータごとに記憶するユーザ分類情報とを記憶するステップと、
受信手段が接続させる複数の端末装置から上記ユーザ識別情報および上記データを含むダウンロード指示を受信するステップと、
更新手段が上記ダウンロード指示および上記登録データに基づき、上記データごとに上記ダウンロード指示に対応する上記ユーザ分類の項目の上記累積値を更新するステップと、
受信手段が接続される複数の端末装置から複数のユーザ分類情報を含む検索指示とを受信するステップと、
検索手段が上記検索指示に応じて、上記ユーザ分類情報を参照し、上記検索指示に含まれる複数のユーザ分類情報に対応する上記累積値に基づき上記データを抽出するステップと
を有する情報処理方法。
【発明の詳細な説明】
【０００１】
【発明の属する技術分野】
本発明は、情報センタに蓄積されている複数のデータの内から所定のデータを検索する検索システム及び端末装置、並びに情報処理装置及び方法に関し、詳しくは、情報センタに携帯装置が接続されている検索システム及び端末装置、並びに情報処理装置及び方法に関する。
【０００２】
【従来の技術】
従来より、テレビジョン情報やカラオケ情報が、電話回線等の通信手段により、端末装置に配信され、当該端末装置では、当該配信された各種情報を表示部等の出力手段等により再生することが行われている。
【０００３】
そして、端末装置の操作状況又は配信要求状況等を調べることにより、テレビの視聴率やカラオケ情報のリクエスト回数を知ることができる。この、テレビの視聴率やカラオケ情報のリクエスト回数といった情報は、通常、テレビ局、カラオケの配信元が利用するに留まっている。
【０００４】
【発明が解決しようとする課題】
ところで、一般の利用者は、上述した情報に限らず、各種情報について利用状況等を知りたい場合がある。例えば、容易に利用者は、利用状況が多い音楽、すなわち、現在流行している音楽を知りたい場合がある。
【０００５】
しかし、利用者は、上述のように、一定の分野の者にしか利用することができないように制限されている情報については、利用することができない。換言すれば、そのように制限されていない情報については、何等問題なく、利用できるといえる。
【０００６】
そこで、本発明は、上述の実情に鑑みてなされたものであって、各種情報が蓄積されている情報センタへの利用者のアクセス情報を利用し、容易に所望の情報の検索を行うことができる検索システム及び端末装置、並びに情報処理装置及び方法の提供を目的とする。
【０００７】
【課題を解決するための手段】
本発明に係る検索システムは、上述の課題を解決するために、ユーザにより送信される所定のデータを要求する要求信号を受信する要求信号受信手段と、複数のデータが蓄積されるデータ記憶手段と、上記要求信号を送信した上記ユーザの個人情報を蓄積する個人情報記憶手段と、上記所定のデータを検索するための検索情報が蓄積される検索情報記憶手段と、上記要求信号に応じて上記データ記憶手段のデータを検索する検索手段とを有する情報センタと、上記情報センタに蓄積される上記ユーザの個人情報及び上記検索情報を受信する情報受信手段と、上記受信された上記ユーザの個人情報及び上記検索情報に応じて上記情報センタ側の上記検索手段に対してデータの検索を指示する検索指示手段とを有する端末装置とを備え、上記情報センタのデータ記憶手段に記憶されている上記データに、上記要求信号を送信した上記ユーザの個人情報に基づいて分類された各項目の値が累積されるユーザ分類情報が付加され、上記端末装置は、上記ユーザ分類情報における上記項目を指示するユーザ分類情報指示手段をさらに備え、上記検索指示手段は、上記ユーザ分類情報指示手段による上記項目の指示に応じて、上記検索手段に対して指示し、上記検索手段は、上記ユーザ分類情報指示手段が指示した複数の上記項目に応じて、上記データ記憶手段を検索して、所定のデータを選択し、上記検索手段は、上記データ記憶手段を検索して、上記ユーザ分類情報指示手段が指示した上記複数項目の各項目において累積値が大きい順序にデータを選択し、さらに各項目において当該選択したデータに付した重み付けの計数が大きくなるようにデータを選択する。
【０００８】
このような構成を有する検索システムは、情報センタ側においては、要求信号受信手段により受信した要求信号に基づいて当該要求信号を送信したユーザの個人情報を個人情報記憶手段に記憶する一方、検索手段により、複数のデータが蓄積されているデータ記憶手段に対して、要求信号に応じたデータを検索する。また、情報センタ側では、検索情報記憶手段により、所定のデータを検索するための検索情報が蓄積されている。さらに、携帯装置側では、情報受信手段により受信したユーザの個人情報及び検索情報を受信に応じて、検索指示手段により、情報センタ側の検索手段に対してデータの検索を指示する。
【０００９】
これにより、検索システムにおいて、ユーザは、個人情報及び検索情報を参照して、情報センタに対して、所定のデータの読み出しを要求信号により行う。そして、情報センタ側では、この要求信号に基づいて検索手段により、所定のデータの検索を行うとともに、当該要求信号を送信したユーザの個人情報を個人情報手段に蓄積する。
【００１０】
また、本発明に係る端末装置は、複数のデータが蓄積される情報センタに当該データと共に蓄積されているユーザの個人情報及び検索情報を受信する情報受信手段と、上記受信された上記ユーザの個人情報及び上記検索情報に応じて上記情報センタ側の検索手段に所定のデータの検索を指示する検索指示手段とを備え、上記情報センタは、ユーザにより送信される所定のデータを要求する要求信号を受信する要求信号受信手段と、複数のデータが蓄積されるデータ記憶手段とを有し、上記情報センタのデータ記憶手段に記憶されている上記データに、上記要求信号を送信した上記ユーザの個人情報に基づいて分類された各項目の値が累積されるユーザ分類情報が付加され、上記ユーザ分類情報における上記項目を指示するユーザ分類情報指示手段をさらに備え、上記検索指示手段は、上記ユーザ分類情報指示手段による上記項目の指示に応じて、上記検索手段に対して指示し、上記検索手段は、上記ユーザ分類情報指示手段が指示した上記項目における累積値に基づいて、上記データ記憶手段を検索して、所定のデータを選択し、上記検索手段は、上記データ記憶手段を検索して、上記ユーザ分類情報指示手段が指示した上記項目における累積値が大きい順序にデータを選択する。
【００１１】
次に、本発明に係る情報処理装置は、複数の端末装置に接続される情報処理装置であって、ユーザ識別情報および上記ユーザ識別情報に対応する個人情報に基づいて分類されたユーザ分類の項目を記憶する登録データと、上記ユーザ分類の項目ごとの所定のデータ要求の累積値をデータごとに記憶するユーザ分類情報とを記憶する記憶手段と、上記端末装置から上記ユーザ識別情報および上記データを含むダウンロード指示と、複数のユーザ分類の項目を含む検索指示とを受信する受信手段と、上記ダウンロード指示および上記登録データに基づき上記データごとに上記ダウンロード指示に対応する上記ユーザ分類の項目の上記累積値を更新する更新手段と、上記検索指示に応じて、上記ユーザ分類情報を参照し、上記検索指示に含まれる複数のユーザ分類の項目に対応する上記累積値に基づき上記所定のデータを抽出する検索手段とを有する。
また、本発明に係る情報処理方法は、記憶手段がユーザ識別情報および上記ユーザ識別情報に対応する個人情報に基づいて分類されたユーザ分類の項目を記憶する登録データと、ユーザ分類の項目ごとのデータ要求の累積値をデータごとに記憶するユーザ分類情報とを記憶するステップと、受信手段が接続させる複数の端末装置から上記ユーザ識別情報および上記データを含むダウンロード指示を受信するステップと、更新手段が上記ダウンロード指示および上記登録データに基づき、上記データごとに上記ダウンロード指示に対応する上記ユーザ分類の項目の上記累積値を更新するステップと、受信手段が接続される複数の端末装置から複数のユーザ分類情報を含む検索指示とを受信するステップと、検索手段が上記検索指示に応じて、上記ユーザ分類情報を参照し、上記検索指示に含まれる複数のユーザ分類情報に対応する上記累積値に基づき上記データを抽出するステップとを有する。
【００１２】
また、本発明に係る情報処理システムは、複数の端末装置と情報処理装置が接続される情報処理装置システムであって、上記端末装置は、上記情報処理装置にユーザ識別情報および所定のデータを含むダウンロード指示と、上記ユーザ識別情報に対応する個人情報に基づいて分類されたユーザ分類の項目を複数含む検索指示とを送信する送信手段と、検索指示に応じて送信された上記データを受信する受信手段とを有し、上記情報処理装置は、上記ユーザ識別情報と上記ユーザ識別情報に対応する上記ユーザ分類の項目を記憶する登録データと、上記ユーザ分類の項目ごとの所定のデータ要求の累積値をデータごとに記憶するユーザ分類情報とを記憶する記憶手段と、上記端末装置から上記ダウンロード指示と、上記検索指示とを受信する受信手段と、上記ダウンロード指示および上記登録データに基づき上記データごとに上記ダウンロード指示に対応する上記ユーザ分類の項目の上記累積値を更新する更新手段と、上記検索指示に応じて、上記ユーザ分類情報を参照し、上記検索指示に含まれる複数のユーザ分類の項目に対応する上記累積値に基づき上記所定のデータを抽出する検索手段と、抽出した上記データを上記端末装置に送信する送信手段とを有する。
さらに、本発明に係る端末装置は、他の端末装置に接続される情報処理装置に接続される端末装置であって、上記情報処理装置にユーザ識別情報および所定のデータを含むダウンロード指示と、上記ユーザ識別情報に対応する個人情報に基づいて分類されたユーザ分類の項目を複数含む検索指示とを送信する送信手段と、上記ダウンロード指示に応じて、上記情報処理装置に記憶されたユーザ識別情報および上記ユーザ識別情報に対応するユーザ分類の項目に基づき、上記情報処理端末にユーザ分類情報として記憶される、上記データごとの複数のユーザ分類の項目のデータ要求の累積値であって、上記検索指示に含まれる各ユーザ分類の項目に対応する上記累積値に応じて、上記情報処理装置によって抽出され送信された上記データを受信する受信手段と、上記受信手段により受信した上記データを表示手段に表示させる制御手段とを有する。
【００１３】
【発明の実施の形態】
本発明に係る実施の形態について図面を用いて詳しく説明する。この実施の形態は、情報センタが保持している曲情報から所定の曲情報を検索して取得することができる検索システムに適用したものであって、曲情報が蓄積されている情報センタと、この情報センタに対して曲情報の検索要求を行う端末装置である中継器及び携帯装置とから構成される。
【００１４】
検索システムは、図１に示すように、複数のデータが蓄積されている情報センタ２と、情報センタ２に接続され、当該情報センタ２に対してアクセス可能となる端末装置である中継器３及び携帯装置４，５，６，・・・とから構成されている。ここで、携帯装置４，５，６，・・・は、中継器３への接続により、当該中継器３から曲情報を得ることができる。そして、中継器３は、例えば、このように携帯装置４，５，６，・・・に提供する曲情報を情報センタ２からの配信によって得るように構成されている。
【００１５】
以下、情報センタ２、中継器３及び携帯装置４，５，６について説明する。なお、携帯装置４，５，６については、それぞれが同一の構成としているので携帯装置４のみの説明とする。また、本実施の形態では、情報センタ２に蓄積されているデータは、上述したように曲情報である。
【００１６】
上記情報センタ２は、ユーザにより送信される所定の曲情報を要求する要求信号を受信する受信手段１２と、複数の曲情報が蓄積されるデータ記憶部１０と、要求信号に応じてデータ記憶部１０の曲情報を検索する検索機能を有する制御部７とを備えている。ここで、要求信号とは、例えば、ユーザが中継器３を操作して情報センタ２に出力した信号であって、当該中継器３に所望の曲情報を送出することを要求する旨の信号である。
【００１７】
また、情報センタ２は、データ記憶部１０内に、要求信号を送信したユーザの個人情報を蓄積する個人情報記憶部と、所定のデータを検索するための検索情報が蓄積される検索情報記憶部とを備えている。
【００１８】
そして、情報センタ２は、ユーザの登録情報が蓄積されているユーザ登録データ部８と、上記制御部７の検索機能によりデータ記憶部１０のデータを検索するためのインデックスが格納されている検索データ部９とを備えている。
【００１９】
上記ユーザ登録データ部８は、ユーザの個人情報とされる登録データが蓄積されている部分である。ここで、上記登録データは、図２に示すように、男女別、年齢別、国籍別、職業別、及び趣味等の項目から構成されている。例えば、登録データは、ユーザが携帯装置を購入した際に、登録用紙に記入する必要事項を参照して作成される。
【００２０】
なお、登録データは、中継器３により情報センタ２のユーザ登録データ部８に登録できるものであってもよく、すなわち、この場合には、中継器３又は携帯装置４にユーザが所定のデータを入力して、情報センタ２に当該データを送信する。
【００２１】
上記検索データ部９は、上記制御部７がデータ記憶部１０に蓄積されているデータを検索する際に使用するインデックスを格納しておく部分であって、制御部７は、インデックスを用いて、データ記憶部１０に格納されているデータの検索を行う。
【００２２】
上記データ記憶部１０は、上述したように、複数の曲情報を記憶しており、さらに、データを検索するための検索情報の記憶部とされる検索情報記憶部と、要求信号を送信したユーザの個人情報の記憶部とされる個人情報記憶部とを有している。情報センタ２は、これら検索情報記憶部及び個人情報記憶部に記憶された各情報に基づいてユーザに要求された曲情報の検索を行っている。
【００２３】
具体的には、上記検索情報記憶部及び個人情報記憶部は、データに付加された形態としてデータ記憶部１０において構成され、図３に示すように、当該情報センタ２が保持している曲情報の曲名に付加されたファイル分類情報及びユーザ分類情報としてデータ記憶部１０において構成されている。ここで、検索情報記憶部は、ファイル分類情報として曲名に付加された曲関連情報とされ、個人情報記憶部は、ユーザ分類情報として曲名に付加されて分類されるユーザの個人情報から構成される。
【００２４】
上記ファイル分類情報は、曲（曲情報）に関する情報であって、例えば、曲（曲情報）の属する国名、ジャンル、及び当該曲の作曲者等からなる。
【００２５】
上記ユーザ分類情報は、男女別、年齢別、国籍別といった、例えば上記登録データと同様な項目から構成される。このユーザ分類情報の各項目は、当該曲名に対応される曲情報がユーザにより読み出し要求された場合にカウントアップされる部分であって、ユーザの個人情報との関連によりカウントアップされる部分である。
【００２６】
ここで、ユーザの個人情報との関連により該当する項目がカウントアップされるときの処理について説明する。
【００２７】
先ず、ユーザは、中継器３により情報センタ２に曲情報の読み出しを要求信号により要求し、これに対して情報センタ２は、当該要求信号により要求された曲情報を制御部７の検索機能により検索する。そして、情報センタ２は、発見した曲情報を中継器３に配信する。
【００２８】
そして、このとき、情報センタ２では、当該要求信号を送出してきたユーザの個人情報との関連により当該検索した曲情報の該当する項目をカウントアップする。すなわち、情報センタ２は、ユーザの登録データが蓄積されているユーザ登録データ部８にアクセスして、当該読み出しを要求したユーザの登録データを取り出し、当該読み出しされた曲名に付加されているユーザ分類情報の該当する項目の値をカウントアップする。例えば、曲情報「ＡＢＣ」の読み出しを要求したユーザの登録データが「男」、「２０代」、「中国人」とされているときには、ユーザ分類情報の男女別の項目の「男」の項目の値、９１５をカウントアップし、年齢別の項目の「２０代」の項目の値、６２８をカウントアップし、国籍別の内の項目の「中国」の項目の値、６３をカウントアップする。なお、例えば、ユーザ登録データ部８に保持されている登録データと、曲情報の読み出しを要求したユーザとの照合は、要求信号と共に情報センタ２に送信されてくる中継器３又は携帯装置４のＩＤによって行う。
【００２９】
以上のように、曲情報の読み出しによって、ユーザの個人情報の各項目がカウントアップされる。
【００３０】
上記制御部７は、バス１１を介して、各部の制御をする部分である。例えば、上述したように、制御部７は、検索機能により、検索データ部９に格納されているインデックスに基づいて、到来した要求信号に基づいて曲情報の検索を行う。
【００３１】
情報センタ２は、上述したように構成されている。そして、情報センタ２は、中継器３とインターネット回線等によって接続されている。
【００３２】
上記中継器３は、例えば、曲情報の記録再生機能を有したホームサーバとされ、上述したように、携帯装置４が接続可能に構成されている。
【００３３】
この中継器３は、各種情報を表示する表示手段２１と、例えば表示手段２１に表示されている項目の選択を行うための操作部２３とを備えている。
【００３４】
上記表示手段２１は、例えばモニターである。そして、上記操作部２３は、複数のボタン等から構成されている。
【００３５】
中継器３は、具体的には、図４に示すように、表示用の機能として、上記表示手段２１と、上記操作部２３と、検索インデックスメモリ２５と、メモリ２６と、マイクロコンピュータ２４とを有している。
【００３６】
上記検索インデックスメモリ２５は、表示手段２１に表示される検索ページのデータを蓄積している部分である。ここで、表示手段２１に表示される検索ページとは、検索入力処理を補助するものであって、例えば、ユーザは、表示手段２１に表示された検索ページを操作することにより、所望のデータを検索することができる。
【００３７】
上記マイクロコンピュータ２４は、バス２７を介して各部の制御を行う部分であって、メモリ２６は、このマイクロコンピュータ２４が各部の制御を行うためのプログラムが格納される部分である。
【００３８】
この中継器３は、情報センタ２に蓄積されるユーザの個人情報及び検索情報を受信する情報受信手段と、受信されたユーザの個人情報及び検索情報に応じて情報センタ２側の検索機能を構成する制御部７に対して曲情報を指示する検索指示手段とを備えている。図５を用いて、より具体な例である中継器３について説明する。
【００３９】
中継器３は、入力手段１０２と、キーボード５２の駆動部とされるＩｒＤＡＩ／Ｆドライバ５３及びＵＳＢ（Universal Serial Bus）ドライバ５４と、ＲＡＭ５５、ＲＯＭ５６及びフラッシュＲＡＭ５７を有するＣＰＵ５８と、光ディスクドライブ５９と、ハードディスクドライブ６１と、オーディオ用ＤＲＡＭ６１とを、バス９０に接続して備えている。
【００４０】
また、中継器３は、マイク６３から入力された信号がアンプ６４及びＡ／Ｄコンバータ６６を介して入力され、さらに、ラインＩＮ６５からの信号がＡ／Ｄコンバータ６６から入力され、そして、光ディジタルＩＮ１１３からの光ディジタル信号がＩＥＣ９５８（International Electrotechnical Commission 958）エンコーダ６８を介して入力されるエンコーダ６２と、Ｄ／Ａコンバータ７２及びヘッドホンアンプ７３を介してヘッドホン７４に信号を出力するデコーダ７１とを、バス９０に接続して備えている。
【００４１】
さらに、中継器３は、ＩＥＥＥ１３９４Ｉ／Ｆ７８と、バス９０に接続され、ＩＥＥＥ１３９４Ｉ／Ｆ７８のドライバとされるＩＥＥＥ１３９４Ｉ／Ｆドライバ７９と、バス９０に接続されたＰＣＭＣＩＡ（Personal Computer Memory Card International Association）ドライバ８０と、ＰＣＭＣＩＡドライバ８０に接続されているＰＣＭＣＩＡスロット８１とを備えている。
【００４２】
そして、中継器３は、モデム７０と、表示部７６と、表示部７６を駆動するための表示ドライバ７５と、上記携帯装置４のＩ／Ｆ８５のインターフェースとされるＩ／Ｆ８４のドライバであるＩ／Ｆドライバ８３とを、バス９０に接続して備えている。
【００４３】
このような構成を有する中継器３は、情報センタ２に蓄積されるユーザの個人情報からなるユーザ分類情報及び検索情報からなるファイル分類情報を受信する情報受信手段をモデム７０として構成し、受信されたユーザ分類情報及びファイル分類情報に応じて情報センタ２側の検索機能を構成する制御部７に対して曲情報の検索を指示する検索指示手段を入力手段５１、キーボード５２、ＣＰＵ５８等として構成している。
【００４４】
上記入力手段５１は、ユーザにより操作される部分である。この入力手段５１には、プッシュ式又は回転式が設けられている。なお、入力手段５１には、いわゆるジョグダイアルとされる回転プッシュ式を設けることもできる。そして、この入力手段５１は、操作されることにより、中継器３の動作を制御するための制御信号を出力し、中継器３は、この制御信号に応じて動作が制御される。
【００４５】
上記キーボード５２は、押圧操作によって操作され、当該操作に応じて信号を出力するように構成されている。このキーボード５２からの信号は、赤外線インターフェースドライバ５３及びＵＳＢドライバ５４により、中継器３に入力可能とされている。ここで、赤外線インターフェースドライバ５３は、赤外線によってインターフェースを可能とするものである。
【００４６】
なお、この赤外線インターフェースドライバ５３及びＵＳＢドライバ５４を介して、キーボード５２から当該中継器３へデータ転送を行うこともできる。
【００４７】
上記ＣＰＵ５８が有するＲＡＭ５５、ＲＯＭ５６及びフラッシュＲＡＭ５７は、当該ＣＰＵ５８により当該中継器３全体の動作の制御するために備えられている。具体的には、ＲＯＭ５６には、入力手段５１が操作されることにより入力される入力信号に応じて当該中継器３の動作を制御するプログラム等が記憶されている。また、ＲＡＭ５５及びフラッシュＲＡＭ５７には、プログラムを実行する上でのデータ領域、タスク領域が一時的に確保されている。
【００４８】
上記光ディスクドライブ５９は、記録媒体とされる光ディスクの装着部と、当該装着部に装着された光ディスクに記録されている曲情報の読み出しのための読み出し部とを備えている。この光ディスクドライブ５９は、当該光ディスクドライブ５９に装着された光ディスクから１倍速或いはより高速、例えば８倍速、１６倍速で光ディスクに記憶される情報が読み出せるように構成されている。この光ディスクドライブ５９から読み出される曲情報を記憶するために上記ハードディスクドライブ６０が設けられている。
【００４９】
上記エンコーダ６２は、バス９０上に転送さるデータをエンコードするように構成されている。このエンコーダ６２は、エンコードアルゴリズムとして例えばＡＴＲＡＣ２（Adaptive TRansform Acoustic Coding ２；商標）を採用している。
【００５０】
上記オーディオ用ＤＲＡＭ６１は、各種情報を記憶する部分として構成されている。例えば、オーディオ用ＤＲＡＭ６１は、光ディスクから読み出された曲情報を一時記憶する部分とされている。
【００５１】
上記ハードディスクドライブ６０は、各種情報が記憶される部分である。例えば、このハードディスクドライブ６０に曲情報が記憶される前処理として、上記オーディオ用ＤＲＡＭ６１に光ディスクから読み出された曲情報が記憶されるとともに、その曲情報が上記エンコーダ６２によりエンコードされた情報がオーディオ用ＤＲＡＭ６１に再び一時記憶され、最終的に、ハードディスクドライブ６０に上記エンコードされた曲情報が蓄積される。
上記Ａ／Ｄコンバータ６６は、マイクロホン６３及びアンプ６４を介して入力されたオーディオ信号、又はラインＩＮ６５から入力されたオーディオ信号を、ディジタル信号にするように構成されている。
【００５２】
上記エンコーダ６２は、マイクロホン６３及びアンプ６４を介して入力されるオーディオ信号に対して、又はラインＩＮ６５及びＡ／Ｄコンバータ６６を介して入力されるオーディオ信号に対してもエンコードするように構成されている。
【００５３】
上記光ディジタルＩＮ６７は、当該中継器３への光ディジタル入力を可能にするように構成されている。この光ディジタルＩＮ６７からの光ディジタル情報がＩＥＣ９５８エンコーダ６８を介してエンコーダ６２に入力されるように構成されている。
【００５４】
上記デコーダ７１は、ハードディスクドライブ６０に蓄積される上記エンコーダ６２によりエンコードされる曲情報をデコードするように構成されている。このデコーダ７１によりデコードされた上記ハードディスクドライブ６０からの曲情報は、Ｄ／Ａコンバータ７２及びアンプ７３を介してスピーカ７４から出力される。ここで、デコーダ７１のデコードアルゴリズムは、上記エンコーダ６２のエンコードアルゴリズムに対応するものとされている。
【００５５】
上記モデム７０は、上述した情報センタ２との間でデータの送受信を行う部分である。このモデム７０により、中継器３は、情報センタ２からの各種情報を取得又は情報センタ２に対して情報の検索を行うことができる。例えば、上述したように、中継器３は、このモデム７０により、情報センタ２に蓄積されるユーザ分類情報及びファイル分類情報を受信し、さらに、曲情報の要求信号を送信することができる。
【００５６】
また、このモデム７０は、この外部ネットワーク６９であるテレネットワーク、ケーブルＴＶ、ワイヤレスネットワーク等に接続可能なインターフェースともされている。
【００５７】
上記表示部７６は、例えば、液晶表示（Liquid Crystal Display；ＬＣＤ）部とされて構成されている。上記表示ドライバ７５は、ハードディスクドライブ６０に蓄積される曲情報をユーザが管理、制御するためのインターフェースである。表示部７６は、各種情報を画像情報として表示する部分とされて、この表示ドライバ７５によって駆動されて各種情報を表示する。
【００５８】
また、表示部７６は、マウス、ペン、ユーザの指で触れる等の入力手段５１としてのポインティングデバイスによって表示画面内に表示されるコマンド等が指定できるように構成されている。これにより、中継器３は、この表示部７６において指定された曲情報等を再生制御することができる。
【００５９】
例えば、曲情報が再生される際には、表示部７６には、情報センタ２から取得した当該曲情報に対応するフォルダ、或いはジャケットイメージが表示される。また、表示部７６は、光ディスクドライブ５９に装着されるメディアのＴＯＣ情報を基に、いわゆるインターネット上のＷＷＷ（world wide wed）サイトから検索された関連情報としてのｈｔｍｌ（hyper text markup language）文書がグラフィック表示されるように構成され、更に通常のインターネットブラウザとしても使用可能となっている。
【００６０】
この表示部７６は、上記図４に示す表示手段２１に対応せれる。よって、表示手段２１には、上述したような、検索ページが表示され、ユーザは、表示される検索ページを操作することにより、情報センタ２にアクセスして、曲情報の検索及び曲情報の読み出しをすることができる。
【００６１】
上記ＩＥＥＥ１３９４Ｉ／Ｆ７８及びＩＥＥＥ１３９４Ｉ／Ｆドライバ７９は、当該中継器３に、衛生放送用のＩＲＤ（integrated receiver/decoder）７７、ＭＤ（商標）、ＤＶＤ（商標）、ＤＶ等から曲情報を取り込むことができるように構成されている。
【００６２】
ＰＣＭＣＩＡドライバ８０に設けられているＰＣＭＣＩＡスロット８１は、ＰＣＭＣＩＡカード８２の装着部として構成されている。中継器３は、このＰＣＭＣＩＡカード８２の装着により、外部記憶装置、その他のメディアドライブ、モデム、ターミナルアダプタ、キャプチャーボード等様々な周辺機器の拡張が容易とされる。
【００６３】
上記Ｉ／Ｆドライバ８３及びＩ／Ｆ８４は、外部機器である携帯装置４とのインターフェース部分として構成されている。中継器３は、Ｉ／Ｆドライバ８３により、ハードディスクドライブ６０に蓄積される曲情報をＩ／Ｆ８４を介して瞬時に携帯装置４にコピーすることができる。
【００６４】
このように構成された中継器３は、ユーザ等に操作されることにより、情報センタ２に対してアクセスして、曲情報の検索及び曲情報の読み出し要求をすることができる。そして、中継器３は、情報センタ２から配信される曲情報を、携帯装置４に送信することもできる。
【００６５】
上記携帯装置４は、図６に示すように、Ｉ／Ｆ８５を駆動するためのＩ／Ｆドライバ１０１と、入力手段１０２と、ＲＡＭ１０３及びＲＯＭ１０４を有するＣＰＵ１０５と、フラッシュＲＡＭ１０６と、オーディオ用ＤＲＡＭ１０７とを、バス１３０に接続して備えている。
【００６６】
そして、携帯装置４は、マイク１０９から入力された信号がアンプ１１０及びＡ／Ｄコンバータ１１２を介して入力され、さらに、ラインＩＮ１１１からの信号がＡ／Ｄコンバータから入力され、そして、光ディジタルＩＮ１１３からの光ディジタル信号ＩＥＣ９５８エンコーダ１１４が入力されるエンコーダ１０８と、Ｄ／Ａコンバータ１１６及びヘッドホンアンプ１１８を介してヘッドホン１１８に信号を出力するデコーダ１１５とを、バス１３０に接続して備えている。
【００６７】
さらに、携帯装置４は、表示部１２０と、バス１３０の接続されて、表示部１２０を駆動するための表示ドライバ１１９とを備えている。
【００６８】
上記Ｉ／Ｆドライバ１０１は、当該装置を他の装置に電気的に接続するためのＩ／Ｆ８５を備えている。携帯装置４は、Ｉ／Ｆ８５が、上記中継器３に接続されることにより、中継器３と電気的に接続された状態とされる。
【００６９】
上記入力手段１０２は、データ等の入力部分である。この入力手段１０２には、プッシュ式、回動式のキーが設けられている。なお、入力手段１０２は、いわゆるジョグダイヤルとされる回動プッシュ式のキーによって構成されるものであってもよい。この入力手段１０２は、操作されることによりバス１３０に当該操作に対応した制御信号を出力する。この入力手段１０２からバス１３０に送出される制御信号は、当該携帯装置４の動作を制御するための信号である。
【００７０】
上記ＲＯＭ１０４には、入力手段１０２が操作されることにより入力される入力信号に応じて当該携帯装置４が制御されるようなプログラム等が記憶されている。また、上記ＲＡＭ１０３には、プログラムを実行する上でのデータ領域、タスク領域が一時的に確保されている。そして、ＣＰＵ１０５は、これらＲＯＭ１０３及びＲＡＭ１０４に記憶される各種データにより当該携帯装置４全体の動作を制御している。
【００７１】
上記フラッシュＲＡＭ１０６は、上記中継器３に蓄積された曲情報がコピーされる部分である。
【００７２】
上記マイクロホン１０９は外部入力のための部分であり、また、上記ラインＩＮ１１１はライン入力のための部分であり、さらに上記光ディジタルＩＮ１１３は光ディジタル信号入力のための部分である。
【００７３】
上記エンコーダ１０８は、入力された信号をエンコード処理する部分であり、上記マイクロホン１０９からアンプ１１０を介して入力されるオーディオ信号、又は上記ラインＩＮ１１１から入力されてＡ／Ｄコンバータ１１２を介して入力されるオーディオ信号をエンコード処理する。さらに、エンコーダ１０８は、光ディジタルＩＮ１１３からＩＥＣ９５８エンコーダ１１４を介して入力される光ディジタル信号もエンコード処理する。
【００７４】
上記デコーダ１１５は、フラッシュＲＡＭ１０６に蓄積されるエンコードされた曲情報等をデコードする部分である。このデコーダ１１５によりデコードされた曲情報は、Ｄ／Ａコンバータ１１６、ヘッドホンアンプ１１７を介してヘッドホン１１８により出力される。
【００７５】
上記表示部１２０は、例えば、液晶表示部とされており、バス１３０に表示ドライバ１１９を介して接続されている。表示ドライバ１１９は、表示部１２０を駆動する部分である。
【００７６】
上記表示部１２０には、曲情報に対応するフォルダ等が表示されており、この表示部１２０は、表示される所定の曲情報がマウス、ペン、ユーザの指で触れる等により選択可能になっている。この表示部１２０において選択された曲情報は、ヘッドホン１１８により出力再生されたり、フラッシュＲＡＭ１０６からの消去等が行われる。
【００７７】
このように構成された携帯装置４は、中継器３に蓄積された曲情報を取得することができる。
【００７８】
以上のように検索システム１の情報センタ２、中継器２及び携帯装置４が構成されている。
【００７９】
次に、ユーザが中継器３によって、情報センタ２に保持されている曲情報を検索する手順について、具体的には、ユーザがアメリカ人に人気があるベスト１０の曲（曲情報）を検索する場合について、図７を用いて説明する。
【００８０】
先ず、ユーザは、ステップＳ１に示すように、入力手段５１又は表示部７６に表示される検索ページを操作して、パラメータの設定を行う。このとき、入力するパラメータは、「アメリカ」を入力し、そして、そのベスト１０を検索するように入力する。すなわち、ＣＰＵ１０５のユーザ分類情報指示機能によりユーザ分類情報における「アメリカ」の項目を選択し、ユーザ分類情報において「アメリカ」の項目の値についてのベスト１０を検索する旨を指示をする。
【００８１】
これにより、ステップＳ２において、情報センタ２は、制御部７による検索機能により、ユーザ分類情報の「アメリカ」の項目の累積値が多いベスト１０の曲名を検索する。すなわち、アメリカ人のユーザが読み出し要求した数が多いベスト１０の曲名を、上述したように要求される毎に当該読み出し要求したユーザの個人情報に基づいてカウントアップされるユーザ分類情報の項目であって、その「アメリカ」の項目に基づいて検索する。情報センタ２は、この検索により、ユーザ分類情報の「アメリカ」の項目について累積値の大きい曲名を、図８中（Ａ）に示すように、ベスト１０の曲情報として選択し、中継器３にその結果として配信する。
【００８２】
以上のように、ユーザによって指示されたパラメータに従って、情報センタ２に保持されている曲情報が検索され、ベスト１０の曲（曲情報）の情報が作成される。
【００８３】
よって、ユーザは、アメリカ人の他のユーザがどのような曲を聞いているのか知ることができる。
【００８４】
そして、ユーザは、例えば、中継器３の表示部７６に表示されたこの結果、すなわちユーザ分類情報に応じて得た結果を参照して、情報センタ２にベスト１の曲情報の読み出しの要求を行うことができる。そして、ユーザは、この読み出しの要求に対応して情報センタ２から配信された曲情報を、中継器３を介して携帯装置４に取得することもできる。
【００８５】
なお、当該読み出し要求された曲のユーザ分類情報については、上述したように、当該ユーザに関する個人情報に該当する項目がカウントアップされる。
【００８６】
さらに、上記ステップＳ１において、複数のパラメータについて設定を行うことにより、さらに、条件を絞ったベスト１０の情報を情報センタ２から取得することができる。例えば、入力するパラメータは、国籍別として「アメリカ」を入力し、年齢別として、年齢別として「２０代」、職業別として「医師」を入力し、そして、そのベスト１０を検索する旨を入力する。すなわち、ユーザ分類情報の国籍別の項目の「アメリカ」、年齢別の項目の「２０代」、職業別の項の「医師」を選択し、ユーザ分類情報においてそのベスト１０を検索する指示をする旨を指示する。
【００８７】
これにより、ステップ２において、情報センタ２は、制御部７による検索機能により、ユーザ分類情報の国籍別の「アメリカ」の項目、年齢別の「２０代」の項目、職業別の「医師」の項目のそれぞれについて累積値が多いベスト１０の曲名を検索する。すなわち、アメリカ人のユーザ、２０代のユーザ、医師のユーザが読み出し要求した数が多いベスト１０の曲名を検索する。情報センタ２は、この検索により、ユーザ分類情報の「アメリカ」、「２０代」、「医師」の各項目において累積値の大きい曲名を、図８中（Ａ）乃至図８中（Ｃ）に示すように、ベスト１０の曲情報として選択する。そして、制御部７は、各項目について選択された曲名からさらにベスト１０の曲を抽出する。ここで行う抽出は、例えば、各項目について選択した曲の１位から１０位までの曲に重み付けをして、各項目において共通の曲名については重み付けを足し合わるといったことを行い、重み付けが大きな数の曲名から選択して唯一つのベスト１０の情報を作成する。
【００８８】
なお、実際においては、各項目について選択したベスト１０の曲から上記したような重み付けによってさらに唯一つのベスト１０を作成することは希であると考えられるので、各項目について１００曲を選出し、１位から１００位までについて重み付けをして、上述したように、各項目において共通の曲名については重み付けを足し合わせ、重み付けの大きな曲名から選択して唯一つのベスト１０の情報を作成する。また、重み付けすることに限定されず、各項目について選択された曲の累積値をそのものを用いて、各項目において共通の曲名についてはその累積値を足し合わせ、その足し合わせた累積値が大きな曲名から選択して唯一つのベスト１０の情報を作成することもできる。
【００８９】
以上のように、ユーザによって指示された複数のパラメータに従って、情報センタ２に保持されている曲情報が検索され、ベスト１０の曲（曲情報）の情報が作成される。情報センタ２において作成されたベスト１０の情報は、図９に示すような形態とされて、中継器３に配信される。ユーザは、このようにして取得したベスト１０により、２０代のアメリカ人医師がどのような曲を聞いているのか知ることができる。
【００９０】
なお、上述したベスト１０の曲の情報は、他のデータに基づいて作成することもできる。例えば、曲にアクセスした時間やアクセスされた地域のデータに基づいてベスト１０の曲の情報を作成することもできる。この場合、ユーザ分類情報には、アクセス時間、アクセス地域の項目を設けて、ユーザのアクセス回数による累積値に基づいて、ベスト１０の曲の情報を作成する。
【００９１】
図１０には、ユーザが、所望の曲を取得するための手続の具体的な例をフローチャートとして示している。すなわち、ユーザは、ステップＳ５において、情報センタ（プロバイダー）２の利用者の確認を処理の選択を行う。そして、ユーザは、ステップＳ６において、情報センタ２に対して、所望の曲をダウンロードするか、上述したようにベスト１０の曲の検索を行うかを選択する。
【００９２】
ここで、ダウンロードを選択した場合、ステップＳ７において、ユーザは、情報名の入力を行う。すなわち、曲情報の読み出しの要求を情報センタ２に対して行う。またステップＳ６でダウンロードをしないことを選択したユーザは、ステップＳ１２において、上述したように、ベスト１０の曲情報の検索を行い、情報センタ２から曲のベスト１０の情報を得る。そして、ユーザは、このベスト１０の情報に基づいて、上記ステップＳ７において、曲情報の読み出しの要求を情報センタ２に対して行う。
【００９３】
情報センタ２では、ステップＳ８及びステップＳ９において、当該入力された要求信号に基づいて検索を行い、当該検索された曲の曲名に付加されているユーザ分類情報の項目、すなわち、当該曲の読み出しを要求したユーザに該当する項目の値をカウントアップする。
【００９４】
そして、このように検索された曲情報は、ステップＳ１０において、中継機３にダウンロードされて、ステップＳ１１において確認処理される。
【００９５】
以上のような一連の処理により、ユーザは、所望の曲を、情報センタ２から携帯装置４に取得することができる。
【００９６】
なお、情報センタ２から曲のベスト１０の情報を得ることに限定されず、一の曲についての情報を取得することもできる。例えば、所定の曲についてのアクセス度を情報センタ２から取得することもできる。
【００９７】
例えば、ユーザが曲「ＸＹＺ」のアクセス度を、当該情報センタ２から得る場合について、図１１を用いて説明する。
【００９８】
先ず、ユーザは、ステップＳ１３において、中継器３において情報名を入力する。すなわち、アクセス度を知りたい曲名「ＸＹＺ」を中継器３に入力する。
【００９９】
続いて、ユーザは、ユーザ分類情報の項目を入力する。例えば、日本人男性のユーザのアクセス度を知りたいときは、男女別の項目の「男」の項目を、国籍別の項目の「日本」の項目をパラメータとしてそれぞれ入力する。
【０１００】
このように入力された情報は、情報センタ２の送信される。情報センタ２では、ステップＳ１５において、中継器３から送信されてきた各種情報に基づいて、曲名「ＸＹＺ」を検索して、男女別の項目の「男」の項目及び国籍別の項目の「日本」の項目に関してアクセス度を算出する。情報センタ２は、制御部７により、男女別の項目の累積値から、曲名「ＸＹＺ」について、例えば、男女全体の内、男が２０パーセント、女が８０パーセント、アクセスしていることを算出する。これと同様に、例えば、国籍別の項目から日本人が１０パーセント、中国人が３０パーセント、アメリカ人が５パーセント、韓国人が８パーセント、・・・の割合でアクセスしていることを算出する。
【０１０１】
このように算出した結果から、情報センタ２は、曲「ＸＹＺ」のアクセス度（アクセス順位）を算出する。そして、情報センタ２は、この結果を中継器３に配信する。
【０１０２】
このようにして、ユーザは、上記配信されてきた曲のリストを中継器３によって知ることができる。
【０１０３】
ここで、例えば、曲のアクセス度のデータとして、情報センタ２は、図１２に示すようなデータ構造を有している。
【０１０４】
すなわち、情報センタ２は、日本Ｄ1、アメリカＤ2、中国Ｄ3，・・・として国籍別にアクセス度のデータを保有する。そして、情報センタ２は、上記国籍別の下位の構造として男Ｄ11，女Ｄ12の男女別に選別したアクセス度をデータとして保有する。さらに、情報センタ２は、上記男女別より下位の構造として１０代Ｄ111，２０代Ｄ112，・・・，５０代Ｄ115の年齢別に選別したアクセス度をデータとして保有する。そして、情報センタ２は、このようなデータ構造から、ユーザによって検索指示された曲のアクセス度を検索することができる。
【０１０５】
なお、上述したように、ある所定のユーザのアクセス度の検索は、情報センタ２にアクセスしたユーザによって検索できることに限定することなく、例えば、例えばプロバイダによって行われる検索でもよい。
【０１０６】
また、ユーザは、この検索システム１により、ファイル分類情報に基づいた曲の検索を行うこともできる。例えば、ある作曲者が作曲した曲の情報が欲しいとき、その作曲者名を中継器３において入力する。
【０１０７】
情報センタ２は、中継器３から送信されてくるこの情報を受けて、曲名に付加されているファイル分類情報の作曲者の項目を検索して、当該検索要求された作曲者の名前を選択する。そして、情報センタ２は、当該選択した作曲者名が同一の曲のリストを中継器３に配信する。
【０１０８】
これにより、中継器３によって取得した曲のリストにより、ユーザは、要求した作曲者が、例えば最近どのような曲を作曲したかを知ることができる。
【０１０９】
なお、上述したように、ユーザ分類情報をも参照することにより、当該作曲者が作曲した曲についてのベスト１０の情報を情報センタ２から所得することもできる。
【０１１０】
以上のように、検索システム１により、ユーザは、曲情報について、情報センタ２に保持されているゆユーザ個人情報やユーザ分類情報等に基づいて、曲のトップ１０、又はアクセス度を取得することができる。
【０１１１】
ここで、中継器３から携帯装置４への曲情報の書き込みについて、図１３を用いて説明する。
【０１１２】
まず、ステップＳ２１において携帯装置４が中継器３の装着部に装着されているか否かを検知する。ここで、検知は、例えば、メカ的なスイッチ機構、或いは信号の送受信等により接続を検知する。
【０１１３】
中継器３に携帯装置４が接続されていると判別されるとステップＳ２２により曲の携帯装置４への移動の要求がユーザから指示されているか否かを判別する。具体的には表示部７６に表示される曲情報ファイルを示すフォルダのうち所定のポインティングデバイスにより選択された曲情報ファイルが携帯装置４へ移動処理されることになる。
【０１１４】
上述のような処理により曲の移動要求が有りと判別されると、ステップＳ２３において、指定された曲情報ファイルの容量を検出する。そして、続くステップＳ２４において、携帯装置４の空き容量を検出し、当該検出した携帯装置４の空き容量と当該携帯装置４に移動処理される曲情報ファイルの容量を比較する。
【０１１５】
ここで、空き容量が足りないと判別されると、ステップＳ２５において、携帯装置４内に以前からある曲情報ファイル（オーディオ情報ファイル）が自動的に削除される。例えば、携帯装置４のフラッシュＲＡＭ１０６からの曲情報ファイルの削除は、ユーザによる再生回数の少ないものを順に消去、記録された時期の日付の古いものから順に消去する等して行う。さらに、自動消去の際にユーザの許可なく消去されることにより重要なファイルが無断で消去されることもあり得ることを考慮して、例えば、中継器３の表示部７６及び携帯装置４の表示部１２０にその警告を表示してユーザの確認を得ることができるように構成している。
【０１１６】
そして、ステップＳ２４及びステップＳ２５の処理により携帯装置４に所定の曲情報ファイルが移動可能と判断されると、続くステップＳ２６において、中継器３のハードディスクドライブ６０からＩ／Ｆ８４，８５及びＩ／Ｆドライバ１０１を介して携帯装置４のフラッシュＲＡＭ１０６にエンコードされた所定の曲情報ファイルが転送される。
【０１１７】
続く、ステップＳ２７において、中継器３のハードディスクドライブ６０に記録されている曲情報ファイルに再生禁止フラグが立てられる。これにより、中継器３において、ハードディスクドライブ６０に記録されている曲情報ファイルの再生が不可能になる。すなわち、所定の曲情報ファイルは中継器３から携帯装置４に仮想的に移動され、曲情報ファイルは常に一つしか存在しないように管理され、不正コピーが防止される。
【０１１８】
なお、中継器３のハードディスクドライブ６０に記録されている曲情報ファイルに再生禁止フラグを立てることにより、当該中継器３における曲情報ファイルの再生を禁止しているが、転送終了後にハードディスクドライブ６０に記録されている曲情報ファイルを削除することにより、中継器３における当該転送した曲情報ファイルの再生を禁止することもできる。
【０１１９】
次に再びステップＳ２８において、曲の移動要求がユーザから出されているか判断し、移動要求有りの場合には上記ステップＳ２３の処理に戻り、移動要求無しとされた場合には当該処理を終了する。
【０１２０】
以上のように、中継器３のハードディスクドライブ６０に記憶されている曲情報ファイルが、中継器３の装着部に装着されている携帯装置４に書き込まれる。
【０１２１】
これにより、携帯装置４は、中継器３のハードディスクドライブ６０から曲情報を得て、当該曲情報を再生することができる。
【０１２２】
また、上述した携帯装置４は、上記図６を用いて説明した構成であることに限定されない。図１４には、携帯装置４のその変形例を示す。
【０１２３】
変形例の携帯装置２００は、上述した携帯装置４と同様に構成されている。なお、携帯装置２００において上述した携帯装置４と同様に構成されている箇所については、同様の番号を付し、説明を省略する。
【０１２４】
携帯装置２００は、スイッチ２０２を介してバス１３０に接続されているフラッシュＲＡＭ２０１を備えている。そして、携帯装置２００は、スイッチ２０１によりＩ／Ｆ８５とフラッシュＲＡＭ２０１との直接接続を可能にしている。上述した携帯装置４とその変形例とされる携帯装置２００との差異は、このフラッシュＲＡＭ２０１の当該携帯装置２００における位置づけである。
【０１２５】
すなわち、図６の携帯装置４においては、フラッシュＲＡＭ１０６がバス１３０に直接接続されており、フラッシュＲＡＭ１０６は当該携帯装置４の回路から物理的な切り離しが不可能とされている。一方、図１４に示す携帯装置２００においては、フラッシュＲＡＭ２０１は、スイッチ２０２によって、バスに電気的に接続されるように構成されている。すなわち、図１４に示す携帯装置２００にあっては、スイッチ２０２の切り換えにより簡単にフラッシュＲＡＭ２０１がバス１３０に対して切り離しが可能とされており、これにより、外部接続された中継器３との接続が容易とされる。
【０１２６】
このようにスイッチ２０２を切り替えることにより、フラッシュＲＡＭ２０１は、Ｉ／Ｆ８５を介して中継器３の記憶部の一つとして構成されるようになり、すなわち、中継器３のＣＰＵ５８によりフラッシュＲＡＭ２０１の制御が可能とされるような回路構成とされている。
【０１２７】
なお、上記中継器３において、光ディスクドライブ５９が情報を読み出す対象を光ディスクとしているが、情報を読み出す対象を光磁気ディスク、メモリカード等であってもかまわない。
【０１２８】
また、上記中継器３において、エンコーダ６２のエンコードアルゴリズムは情報圧縮されるエンコードアルゴリズムであればよく、よって、例えば、エンコードアルゴリズムをＴｗｉｎＶＱ（商標）、ＲｅａｌＡｕｄｉｏ（商標）、ＬｉｑｕｉｄＡｕｄｉｏ（商標）採用することができる。
【０１２９】
さらに、上記中継器３では、エンコーダ６２によりエンコードされたオーディオ情報がハードディスクドライブ６０に蓄積されるように構成されているが、光ディスクドライブ５９から読み出される情報がそのままハードディスクドライブ６０に蓄積されるようにしてもかまわない。
【０１３０】
そして、上記中継器３は、ユーザがリクエストする曲情報が直接外部ネットワーク６９からダウンロードしたときに、メディア情報に対応して曲情報が返信されるように構成して所定のメディアのボーナストラックが配信により取得されるように構成することもできる。
【０１３１】
また、上記中継器３は、携帯装置４にデータの送受信が行うと共に、当該携帯装置４に充電されるような充電部を備えることもできる。
【０１３２】
また、携帯装置４においては、フラッシュＲＡＭ１０６をハードディスクドライブに代用することもできる。
【０１３３】
さらに、上記携帯装置４は、中継器３の装着部に物理的に装着されることにより中継器３との送受信が可能とされているが、非接触型のＩ／Ｆによって接続されてもよく、例えばＩｒＤＡ等を用いることで可能になる。
【０１３４】
なお、携帯装置４は、中継器３と同様に、情報センタ２に曲情報の検索及び曲情報の読み出しを要求することができる。この場合、例えば、中継器３に接続した状態において、携帯装置４の入力手段１０２を操作することにより、中継器３を介して、情報センタ２に要求信号等を転送する。そして、情報センタ２から配信された曲情報の検索結果等は、中継器３を介して携帯装置４に取り込まれる。
【０１３５】
【発明の効果】
本発明に係る検索システムは、情報センタ側においては、要求信号受信手段により受信した要求信号に基づいて当該要求信号を送信したユーザの個人情報を個人情報記憶手段に記憶する一方、検索手段により、複数のデータが蓄積されているデータ記憶手段に対して、要求信号に応じたデータを検索する。また、情報センタ側では、検索情報記憶手段により、所定のデータを検索するための検索情報が蓄積されている。さらに、携帯装置側では、情報受信手段により受信したユーザの個人情報及び検索情報を受信に応じて、検索指示手段により、情報センタ側の検索手段に対してデータの検索を指示する。
【０１３６】
これにより、検索システムにおいて、ユーザは、個人情報及び検索情報を参照して、情報センタに対して、所定のデータの読み出しを要求信号により行うことができる。そして、情報センタ側では、この要求信号に基づいて検索手段により、所定のデータの検索を行うとともに、当該要求信号を送信したユーザの個人情報を個人情報手段に蓄積することができる。
【０１３７】
よって、検索システムにより、ユーザは、情報センタへの利用者のアクセス情報を利用し、容易に所望の情報の検索を行うことができる。
【０１３８】
また、携帯装置は、情報受信手段により受信したユーザの個人情報及び検索情報に応じて、検索指示手段により、情報センタ側の検索手段に所定のデータの検索を指示する。
【０１３９】
これにより、ユーザは、個人情報及び検索情報を参照して、情報センタに対して、所定のデータの読み出し要求を要求信号により行うことができる。そして、情報センタ側では、この要求信号に基づいて検索手段により、所定のデータの検索を行うとともに、当該要求信号を送信したユーザの個人情報を個人情報手段に蓄積することができる。
【０１４０】
よって、端末装置により、ユーザは、情報センタへの利用者のアクセス情報を利用し、容易に所望の情報の検索を行うことができる。
【図面の簡単な説明】
【図１】本発明の実施の形態とされる検索システムの構成を示すブロック回路図である。
【図２】上記検索システムの備える情報センタによって保持されているユーザの登録データを示す図である。
【図３】上記情報センタに蓄積されている情報であって、当該情報センタに蓄積されている曲情報の曲名に付加されたファイル分類情報及びユーザ分類情報を示す図である。
【図４】上記検索システムの備える中継器の表示部の構成を示すブロック回路図である。
【図５】上記中継器の具体的な構成を示すブロック回路図である。
【図６】上記検索システムの備える携帯装置の構成を示すブロック回路図である。
【図７】上記検索システムによって、曲のベスト１０を検索するときの手順の説明に用いたフローチャートである。
【図８】上記情報センタにおいて、検索された曲のベスト１０の情報を示す図である。
【図９】上記情報センタにより検索された曲のベスト１０の情報が、中継器３において結果として表示された状態を示す図である。
【図１０】上記検索システムにおいて、ユーザが所望の曲情報を得るまでの一連の手順を示すフローチャートである。
【図１１】上記検索システムにおいて、所定の曲のアクセス度を得るための手順の説明のために用いたフローチャートである。
【図１２】上記情報センタにおける具体的なデータ構造を示すブロック回路図である。
【図１３】上記中継器から携帯装置に曲情報を送るときの一連の手順を示すフローチャートである。
【図１４】変形例とされる上記携帯装置の構成を示すブロック回路図である。
【符号の説明】
１  検索システム、２  情報センタ、３  中継器、４，５，６  携帯装置、７制御部、９  検索データ部、１０  データ記憶部、１２  受信手段、５１  入力手段、５２  キーボード、５８  ＣＰＵ、７０  モデム
【図１】
0004122559.tif 000002
【図２】
0004122559.tif 000003
【図３】
0004122559.tif 000004
【図４】
0004122559.tif 000005
【図５】
0004122559.tif 000006
【図６】
0004122559.tif 000007
【図７】
0004122559.tif 000008
【図８】
0004122559.tif 000009
【図９】
0004122559.tif 000010
【図１０】
0004122559.tif 000011
【図１１】
0004122559.tif 000012
【図１２】
0004122559.tif 000013
【図１３】
0004122559.tif 000014
【図１４】
0004122559.tif 000015